(57)【要約】【課題】近距離無線通信が必要な場合、近距離無線通信を動作させる。【解決手段】例えば、着信信号が受信された場合、移動通信装置が自動車内にあると判断され（ステップＳ１１−１ｂの「ＹＥＳ」）、また、車載型ハンズフリー通話装置によるハンズフリー通話が可能と判断された場合（ステップＳ１１−１ｃの「可能」）、近距離無線通信を動作させて、車載型ハンズフリー通話装置によるハンズフリー通話をさせる（ステップＳ１１−１ｄ）。また、ヘッドセット型ハンズフリー通話装置によるハンズフリー通話が可能と判断された場合（ステップＳ１１−１ｅの「可能」）、近距離無線通信を動作させて、ヘッドセット型ハンズフリー通話装置によるハンズフリー通話をさせる（ステップＳ１１−１ｆ）。【選択図】図６
2010192985.tif 000002
【特許請求の範囲】
【請求項１】
基地局との無線通信を行うための第１の通信手段と、近距離無線通信網を介してハンズフリー通話装置と無線通信を行うための第２の通信手段とを備えた移動通信装置であって、
前記基地局から着信信号を受信すると、前記第２の通信手段に電力を供給させる電力制御手段と、
前記電力制御手段によって前記第２の通信手段に電力が供給された後、前記ハンズフリー通話装置との間で無線リンクを確立させるように前記第２の通信手段を制御するリンク制御手段とを備え、
前記電力制御手段は、前記リンク制御手段によって前記ハンズフリー通話装置との間で無線リンクが確立された場合は、前記第２の通信手段への電力供給を維持させ、前記ハンズフリー通話装置との間で無線リンクが確立できない場合は、前記第２の通信手段への電力供給を停止させるように制御すること
を特徴とする移動通信装置。
【請求項２】
前記ハンズフリー通話装置へ着信を転送することが好ましいことを示す第１の特徴量を記憶する特徴量記憶部と、入力した周囲の音から第２の特徴量を求める特徴量算出部と、この特徴量算出部によって求められた第２の特徴量と前記第１の特徴量とを比較する特徴量比較部とを更に備え、
前記基地局からの着信があると、前記電力制御手段は、前記特徴量算出部と前記特徴量比較部に電力を供給させるように制御し、
前記特徴量算出部は、電力の供給を受けると周囲の音から第２の特徴量を求め、
前記特徴量比較部は、前記第２の特徴量が前記第１の特徴量に一致するか否かの判定結果を前記電力制御手段へ通知し、
そして、前記電力制御手段は、前記第２の特徴量が前記第１の特徴量に一致するとの通知を受けると、更に、前記第２の通信手段に電力を供給させること
を特徴とする請求項１に記載の移動通信装置。
【請求項３】
前記特徴量記憶部に記憶される第１の特徴量は、移動通信装置が自動車内に存在し、かつ通話が行われていないときに測定された特徴量であることを特徴とする請求項２に記載の移動通信装置。
【請求項４】
基地局との無線通信を行うための第１の通信手段と、近距離無線通信網を介して第１のハンズフリー通話装置および第２のハンズフリー通話装置と無線通信を行うための第２の通信手段とを備えた移動通信装置であって、
前記第１および第２のハンズフリー通話装置の一方を選択して無線リンクを確立させるように前記第２の通信手段を制御するリンク制御手段と、
前記第１のハンズフリー通話装置へ着信を転送することが好ましいことを示す第１の特徴量を記憶する特徴量記憶部と、
入力した周囲の音から第２の特徴量を求める特徴量算出部と、
前記特徴量算出部によって求められた第２の特徴量と前記第１の特徴量とを比較する特徴量比較部と、
前記基地局から着信信号を受信すると、前記特徴量算出部、前記特徴量比較部、および前記第２の通信手段に電力を供給させる電力制御手段とを備え、
前記基地局からの着信に応じて電力の供給を受けた前記特徴量算出部および前記特徴量比較部は、前記第２の特徴量を求めるとともに、この第２の特徴量が前記第１の特徴量に一致するか判定し、
この判定結果が一致を示す場合は、前記リンク制御手段は前記第１のハンズフリー通話装置との間で無線リンクを確立するように前記第２の通信手段を制御し、前記判定結果が不一致を示す場合は、前記リンク制御手段は前記第２のハンズフリー通話装置との間で無線リンクを確立するように前記第２の通信手段を制御し、
前記電力制御手段は、前記リンク制御手段によって前記第１または第２のハンズフリー通話装置との間で無線リンクが確立された場合は、前記第２の通信手段への電力供給を維持させ、前記第１および第２のハンズフリー通話装置との間で無線リンクが確立できない場合は、前記第２の通信手段への電力供給を停止させるように制御すること
を有することを特徴とする移動通信装置。
【請求項５】
前記電力制御手段は、前記第１の特徴量と前記第２の特徴量との比較処理が終了すると、前記特徴量算出部と前記特徴量比較部への電力供給を停止するよう制御することを特徴とする請求項４に記載の移動通信装置。
【発明の詳細な説明】
【技術分野】
【０００１】
本発明は、移動通信装置に係り、特に、近距離無線通信の制御処理に関する。
【背景技術】
【０００２】
カーナビゲーションシステムのような車載型またはヘッドセット型のハンズフリー通話装置との間で、Bluetooth（登録商標）と呼ばれる通信方式を用いた近距離無線通信を行う移動通信装置が知られている。このような移動通信装置では、一般的に、Bluetooth（Ｒ）を用いた近距離無線を行うための無線モジュールを備えているが、近距離無線を用いた無線通信は必要に応じて行われるため、無線モジュールを常に動作させることは、移動通信装置の消費電力の観点から好ましくない。
【０００３】
このような背景に鑑みた技術として、例えば、移動通信装置が自動車外にある場合は、近距離無線部を停止させるとともに、自動車内に移動されたことを検出した場合、動作させることで、無駄な電力の消費を抑える技術が知られている（例えば、特許文献１参照。）。
【先行技術文献】
【特許文献】
【０００４】
【特許文献１】特開２００５−２６８９３３号公報（第２−４頁、図１、図４）
【発明の概要】
【発明が解決しようとする課題】
【０００５】
しかしながら、上述した特許文献１に開示されている方法では、移動通信装置が自動車内にある場合、常に近距離無線部が動作することになるため、この近距離無線部が使用されていないにも係わらず電力が消費されてしまうといった問題点があった。
【０００６】
本発明は上記問題点を解決するためになされたもので、近距離無線通信が必要な場合、近距離無線通信を動作させる移動通信装置を提供することを目的とする。
【課題を解決するための手段】
【０００７】
上記目的を達成するために、本発明の移動通信装置は、基地局との無線通信を行うための第１の通信手段と、近距離無線通信網を介してハンズフリー通話装置と無線通信を行うための第２の通信手段とを備えた移動通信装置であって、前記基地局から着信信号を受信すると、前記第２の通信手段に電力を供給させる電力制御手段と、前記電力制御手段によって前記第２の通信手段に電力が供給された後、前記ハンズフリー通話装置との間で無線リンクを確立させるように前記第２の通信手段を制御するリンク制御手段とを備え、前記電力制御手段は、前記リンク制御手段によって前記ハンズフリー通話装置との間で無線リンクが確立された場合は、前記第２の通信手段への電力供給を維持させ、前記ハンズフリー通話装置との間で無線リンクが確立できない場合は、前記第２の通信手段への電力供給を停止させるように制御することを特徴とする。
【発明の効果】
【０００８】
本発明によれば、近距離無線通信が必要な場合、近距離無線通信を動作させることができる。
【図面の簡単な説明】
【０００９】
【図１】本発明の実施形態に係る移動通信装置が含まれるハンズフリー通話システムの構成を示すブロック図。
【図２】本発明の実施形態に係る移動通信装置の構成を示すブロック図。
【図３】本発明の実施形態に係るヘッドセット型ハンズフリー通話装置の構成を示すブロック図。
【図４】本発明の実施形態に係る車載型ハンズフリー通話装置の構成を示すブロック図。
【図５】本発明の実施形態に係るデバイスリストの構成の一例を示す図。
【図６】本発明の実施形態に係る近距離無線通信制御機能の近距離無線通信の制御動作のフローチャート（着信信号が制御部に送られた場合の制御動作。）。
【発明を実施するための形態】
【００１０】
以下に、本発明の実施形態に係わる移動通信装置の実施の形態を、図面を参照して説明する。図１は、本発明の実施形態に係わる携帯電話機などの移動通信装置が利用されるハンズフリー通話システムの構成を示すブロック図である。
【００１１】
また、このハンズフリー通話システムは、移動通信装置ＭＳの外に、例えば、近距離無線通信網ＮＷを介して移動通信装置ＭＳと近距離無線通信を行うカーナビゲーションシステムなどの車載型ハンズフリー通話装置ＨＦ、およびヘッドセット型ハンズフリー通話装置ＨＳとを含んで構成され、近距離無線通信網ＮＷは、Bluetooth（Ｒ）と呼ばれる通信方式を用いた通信網としている。ただし、通信方式はBluetooth（Ｒ）に限らず、無線ＬＡＮ方式や赤外線通信方式を用いることも可能である。
【００１２】
移動通信装置ＭＳは、移動通信網の基地局を介して他の携帯電話機や固定電話機のような通信装置との間で通話を行い、また、移動通信網を介してコンテンツサーバからダウンロードした音楽コンテンツやマルチメディアコンテンツなどを再生する機能を備えている。一方、車載型ハンズフリー通話装置ＨＦおよびヘッドセット型ハンズフリー通話装置ＨＳは、近距離無線通信網ＮＷを介して移動通信装置ＭＳと無線リンクを確立することで、移動通信網および移動通信装置ＭＳを経由して着信情報を受信することができ、この着信情報に基づく報知に対する応答操作があると、発信した通信装置との間でハンズフリー通話を行う。
【００１３】
更に、移動通信装置ＭＳで再生された音楽コンテンツやマルチメディアコンテンツのオーディオ信号および音声信号を、前記近距離無線通信網ＮＷを介して受信することでスピーカから出力し、また、図示しない外部出力端子を備えている場合には、この外部出力端子に接続されたヘッドフォンを接続することでヘッドフォンから出力させることができる。
【００１４】
以下、上記移動通信装置ＭＳ、車載型ハンズフリー通話装置ＨＦ、およびヘッドセット型ハンズフリー通話装置ＨＳの主な構成について説明する。
【００１５】
図２は、本発明の実施形態に係わる移動通信装置ＭＳの構成を示すブロック図である。この移動通信装置ＭＳは、装置全体の制御を行う制御部１１と、移動通信網に属する基地局との間で無線信号の送受信を行うアンテナ１２ａと、移動通信網通信部１２ｂと、移動通信網送受信部１３と、主に通話で利用される第１のスピーカ１４ａと、マイクロフォン１４ｂと、通話部１４ｃと、周囲の音を分析する環境音分析部１４ｄと、利用者へ情報の提示を行う表示部１５と、利用者からの発信操作や着信応答などの操作指示を入力する入力部１６と、近距離無線通信網ＮＷを介して近距離無線信号の送受信を行うアンテナ１７ａと、近距離無線通信部１７ｂと、近距離無線送受信部１８と、例えばＡＡＣで符号化されたオーディオデータを復号するためのＡＡＣデコード機能および例えばＨ．２６４符号化された画像信号を復号するためのＨ．２６４デコード機能を備えるコンテンツ再生部２１と、主に音楽コンテンツやマルチメディアコンテンツを再生する際のオーディオ信号、および音声信号を出力するために利用される第２のスピーカ２１ａと、コンテンツ記憶部２２と、特徴量比較部２３と、環境音記憶部２４と、デバイスリスト記憶部２５とを備えている。ここで符号化方式についての記載は一例であり、ＡＡＣおよびＨ．２６４に限定するものではない。
【００１６】
なお、制御部１１がプログラムを実行することで実現される本発明に関する機能として、近距離無線通信制御機能１１−１と、状況推論機能１１−２とがある。また、コンテンツ記憶部２２には、音楽コンテンツやマルチメディアコンテンツなどが記憶される。環境音記憶部２４には、装置が自動車内にあるときに検出した周囲音の特徴量が環境音として記憶される。デバイスリスト記憶部２５には、移動通信装置ＭＳが近距離無線通信網ＮＷを介して近距離無線通信する装置を識別する情報からなるデバイスリストが記憶される。
【００１７】
なお、機能キーの１つである電源キーが押下されて電源がオンされると、制御部１１が移動通信装置ＭＳの個々の機能を実行するために必要な各部への電力供給を制御するが、本発明においては、近距離無線通信部１７ｂと近距離無線送受信部１８への電力供給は近距離無線通信制御機能１１−１によって、また、環境音分析部１４ｄと特徴量比較部２３への電力供給は状況推論機能１１−２によって制御される。
【００１８】
図３は、ヘッドセット型ハンズフリー通話装置ＨＳの構成を示すブロック図である。このヘッドセット型ハンズフリー通話装置ＨＳは、装置全体の制御を行う制御部３１と、近距離無線通信網ＮＷを介する近距離無線信号の送受信を行うアンテナ３２ａと、近距離無線通信部３２ｂと、近距離無線送受信部３３と、通話の際の音声信号および音楽コンテンツやマルチメディアコンテンツが再生されるときのオーディオ信号を出力するためのスピーカ３４ａと、マイクロフォン３４ｂと、コーデック部３４ｃと、各種の情報を表示する通知部３５と、電源のオン・オフを指示する電源キー、および発信・着信応答を指示するための操作キーなどの操作指示を入力するキーからなる入力部３６とを備えている。
【００１９】
また、スピーカ３４ａに代えて外部出力端子を備え、外部出力端子にヘッドフォンを接続することでも同様の装置と見なせる。また、ヘッドセット型ハンズフリー通話装置ＨＳは一般的に図示しないバッテリを備えた装置となっており、電源のオン・オフに連動して電力の供給が行われる。
【００２０】
図４は、車載型ハンズフリー通話装置ＨＦの構成を示すブロック図である。この車載型ハンズフリー通話装置ＨＦは、装置全体の制御を行う制御部４１と、近距離無線通信網ＮＷを介する近距離無線信号の送受信を行うアンテナ４２ａと、近距離無線通信部４２ｂと、近距離無線送受信部４３と、通話の際の音声信号および音楽コンテンツやマルチメディアコンテンツを再生するときのオーディオ信号を出力するためのスピーカ４４ａと、マイクロフォン４４ｂと、通話部４４ｃと、各種の情報を表示する表示部４５と、電源のオン・オフを指示するための電源キーや、発信・着信応答を指示するための操作キー、その他各種の指示を入力するための複数のキーからなる入力部４６と、コンテンツ再生部４７と、音楽コンテンツやマルチメディアコンテンツを記憶するコンテンツ記憶部４８とを備えている。
【００２１】
なお、車載型ハンズフリー通話装置ＨＦは、自動車内に設置されたカーナビゲーションシステムと一体の装置であることが多く、この場合、車載型ハンズフリー通話装置ＨＦへの電力の供給は自動車のイグニッションキーにも連動して制御される。
【００２２】
続いて、移動通信装置ＭＳ、車載型ハンズフリー通話装置ＨＦ、およびヘッドセット型ハンズフリー通話装置ＨＳそれぞれにおける各部の動作について説明する。
【００２３】
まず、移動通信装置ＭＳの各部の動作について、図２を参照して説明する。
【００２４】
近距離無線通信制御機能１１−１は、移動通信網を介して接続された通信装置との間で通話を行う際の音声信号や、コンテンツ再生部２１によって再生された音声信号およびオーディオ信号の出力を（ａ）移動通信装置ＭＳ、（ｂ）車載型ハンズフリー通話装置ＨＦ、または（ｃ）ヘッドセット型ハンズフリー通話装置ＨＳいずれで行うかを選択する。なお、上記（ａ）〜（ｃ）に加え、移動通信装置ＭＳと車載型ハンズフリー通話装置ＨＦの双方、および移動通信装置ＭＳとヘッドセット型ハンズフリー通話装置ＨＳの双方で音声信号およびオーディオ信号の出力を行うとの選択肢を設けても良い。
【００２５】
この選択に際し、近距離無線通信制御機能１１−１は、状況推論機能１１−２による移動通信装置ＭＳが自動車内にあるか否かの判定結果、および、車載型ハンズフリー通話装置ＨＦおよびヘッドセット型ハンズフリー通話装置ＨＳとの間の近距離無線通信網ＮＷを介した通信が可能か否かを参照する。
【００２６】
そして、車載型ハンズフリー通話装置ＨＦまたはヘッドセット型ハンズフリー通話装置ＨＳによって音声信号およびオーディオ信号の出力を行うと選択された場合、近距離無線通信制御機能１１−１は、バッテリからの電力が近距離無線通信部１７ｂと近距離無線送受信部１８に供給されるように制御し、近距離無線通信網ＮＷを介した近距離通信を可能にする。
【００２７】
一方、状況推論機能１１−２は、環境音分析部１４ｄへの電力供給を制御することで、マイクロフォン１４ｂから入力された音声信号に基づいてその特徴量を計算させ、計算された特徴量を環境音記憶部２４に記憶させ、また、環境音分析部１４ｄと特徴量比較部２３への電力供給を制御することで、マイクロフォン１４ｂから入力されたアナログ音声信号に基づいて環境音分析部１４ｄによって計算させた特徴量と環境音記憶部２４に記憶されている特徴量とを特徴量比較部２３に比較させる。
【００２８】
なお、特徴量を環境音記憶部２４に記憶させるために環境音分析部１４ｄへ電力供給するのは、自動車のエンジン音のような周囲の音以外の音をできるだけ含ませないようにするため、移動通信装置ＭＳが自動車内にあり、かつ近距離無線通信網ＮＷを介して車載型ハンズフリー通話装置ＨＦが接続されているが、この車載型ハンズフリー通話装置ＨＦとの間で音声信号やオーディオ信号などの音の出力を伴う信号の送受信が行われていないときに行われる。また、特徴量を計算する対象をマイクロフォン１４ｂから入力される自動車のエンジンの動作音とした場合、エンジンの回転数によってエンジン音が変化するため、特徴量の計算は複数回に亘って行う方が好ましい。
【００２９】
その後、特徴量を環境音記憶部２４に記憶する処理、また、計算した特徴量と環境音記憶部２４に記憶されている特徴量とを比較する処理が終了すると、状況推論機能１１−２は環境音分析部１４ｄ、特徴量比較部２３への電力供給を停止させるよう制御する。
【００３０】
移動通信網通信部１２ｂは、アンテナ１２ａが基地局から受信した無線信号から高周波信号を求め、この高周波信号を移動通信網送受信部１３に送信する。また、移動通信網送受信部１３から出力される高周波信号をアンテナ１２ａに送信する。
【００３１】
移動通信網送受信部１３は、移動通信網通信部１２ｂからの高周波信号を増幅、周波数変換および復調し、それによって得たデジタル音声信号を通話部１４ｃまたは近距離無線送受信部１８に送信し、また、着信信号を含む制御信号を制御部１１に送信する。更には、通話部１４ｃおよび近距離無線送受信部１８から出力されるデジタル音声信号と、制御部１１から出力される発呼信号を含む制御信号を変調、周波数変換および増幅し、高周波信号を得て、それを移動通信網通信部１２ｂに送信する。
【００３２】
通話部１４ｃは、移動通信網送受信部１３から出力されるデジタル音声信号をアナログ音声信号に変換し、それを増幅して第１のスピーカ１４ａに送る。また、マイクロフォン１４ｂが出力するアナログ音声信号を増幅し、それをデジタル音声信号に変換して移動通信網送受信部１３へ送信する。
【００３３】
環境音分析部１４ｄは、マイクロフォン１４ｂが出力するアナログ音声信号を増幅した後、このアナログ音声信号を、例えばＰＣＭ変調することでデジタル音声信号に変換し、更に、このデジタル音声信号を所定の時間間隔幅に分割することで音声フレームを求める。そして、この音声フレームを、例えば、線形予測分析（ＬＰＣ、Linear Predictive Coding）し、それによって得られたスペクトルからケプストラムを計算して、このケプストラムをマイクロフォン１４ｂから入力されたアナログ音声信号の特徴量として環境音記憶部２４に記憶させ、または、特徴量比較部２３へ送信する。
【００３４】
表示部１５は、例えばＬＣＤ（Liquid Crystal Display）の表示部であり、制御部１１の制御により、使用者に操作を促す表示や、使用者が操作した内容の表示や、装置の動作状態の表示などの表示を行う。
【００３５】
入力部１６は、電話番号を含む数字やメールを作成する際の文字などの入力に用いられる文字・数字キーと、移動通信装置ＭＳの電源のオンおよびオフなどの動作指示や発信および着信応答などの操作指示などを入力するために用いられる複数の機能キーを備え、制御部１１からの起動信号により、利用者が操作したキーを識別するコード信号を制御部１１へ通知する。
【００３６】
近距離無線通信部１７ｂは、アンテナ１７ａを介して近距離無線通信網ＮＷから受信した近距離無線信号を近距離無線送受信部１８に送信する。また、近距離無線送受信部１８から出力される近距離無線信号を、アンテナ１７ａを介して近距離無線通信網ＮＷに送信する。
【００３７】
近距離無線送受信部１８は、他の装置との間で制御信号およびデジタル音声・オーディオ信号を送受信するとき、近距離無線通信部１７ｂを制御して、近距離無線通信網ＮＷ上の無線リンクを確立させる。なお、この確立された無線リンクは上記制御信号、デジタル音声・オーディオ信号の送受信が終了すると、近距離無線送受信部１８による制御を受けて近距離無線通信部１７ｂによって切断される。
【００３８】
制御信号およびデジタル音声・オーディオ信号の送受信は、この確立した無線リンク上でＨＦＰ（Hands-Free Profile）を実行することで行われ、例えば、着信報知・着信応答などの制御信号やハンズフリー通話によるデジタル音声信号の送受信も、このＨＦＰを実行することで行われる。
【００３９】
また、ハンズフリー通話が行われているときは、近距離無線送受信部１８は、近距離無線通信部１７ｂによって受信された近距離無線信号から得た制御信号を制御部１１に送信し、デジタル音声信号を移動通信網送受信部１３に送信する。一方、制御部１１から出力される制御信号、移動通信網送受信部１３から出力されるデジタル音声信号は、近距離無線信号として無線リンクを介して送信されるよう近距離無線通信部１７ｂを制御する。
【００４０】
また、近距離無線送受信部１８は、その無線リンク上でＡ２ＤＰ（Advanced Audio Distribution Profile）を実行することで、無線リンクを介して接続された装置に音楽コンテンツやマルチメディアコンテンツのデジタルオーディオ信号を送信することができる。この場合、近距離無線送受信部１８は、コンテンツ再生部２１から出力される音楽コンテンツなどのデジタルオーディオ信号を近距離無線信号に変換し、更に、この近距離無線信号が無線リンクを介して送信されるよう近距離無線通信部１７ｂを制御する。
【００４１】
なお、近距離無線信号とは、Bluetooth（Ｒ）で定義されたフォーマットのパケットであり、例えば、デジタル音声信号を送信する際は、所定のサイズに分割されてパケットのペイロード部のサイズにされる。また、近距離無線送受信部１８は、ＨＦＰの実行を、Ａ２ＤＰの実行に優先して行い、例えば、Ａ２ＤＰの実行中であっても、ＨＦＰの実行要求の割り込みがあると、Ａ２ＤＰの実行を中断して、制御部１１の制御に従ってＨＦＰを実行する。
【００４２】
コンテンツ再生部２１は、入力部１６の所定のキーが操作されて選択された音楽コンテンツやマルチメディアコンテンツを再生する。このとき、コンテンツ再生部２１は、これらコンテンツに含まれるデジタルオーディオ信号をアナログオーディオ信号に変換した後に第２のスピーカ２１ａから出力させ、また、デジタルオーディオ信号が無線リンクを介して送信されるよう、近距離無線送受信部１８に送信する。なお、再生されるコンテンツは、入力部１６を介してコンテンツを再生するためのアプリケーションが起動されると、このアプリケーションによってコンテンツ記憶部２２に記憶されているコンテンツのリストが表示部１５に表示されるため、このリストから所望のコンテンツを選択することで決定される。
【００４３】
特徴量比較部２３は、環境音分析部１４ｄによって計算された特徴量と、環境音記憶部２４に記憶された各特徴量との間の距離を計算する。そして、計算された距離のいずれかが所定の閾値より小さい場合、環境音分析部１４ｄによって計算された音声信号の特徴量は、環境音記憶部２４に記憶されている特徴量に一致していると判断し、一方、計算された距離のいずれもが所定の閾値より大きい場合、上記特徴量は、環境音記憶部２４に記憶されている特徴量のいずれとも一致しないと判断する。
【００４４】
デバイスリスト記憶部２５は、近距離無線送受信部１８によって近距離無線通信網ＮＷを介して近距離無線通信を行う際に相手装置を特定するための情報で構成されるデバイスリストを記憶しており、このデバイスリストは、図５に示されるように、近距離無線通信を行う際に相手装置を特定するためのアドレス２５ａと、「車載型」であるか「ヘッドセット型」であるかなどの相手装置の種別を識別するための装置種別２５ｂと、相手装置が実行できる機能を示すサポート機能２５ｃの各情報が関連付けられた構成となっている。なお、サポート機能２５ｃには、ＨＦＰを実行可能な装置であれば「音声通話」が、また、Ａ２ＤＰを実行可能な装置であれば「オーディオ転送」が登録される。
【００４５】
例えば、図５には、デバイスリストとして、アドレス２５ａが「１：１：１：１：１：１」、装置種別２５ｂが「車載型」、そしてサポート機能２５ｃが「音声通話」と「オーディオ転送」の組と、アドレス２５ａが「２：２：２：２：２：２」、装置種別２５ｂが「ヘッドセット型」、そしてサポート機能２５ｃが「音声通話」と「オーディオ転送」の組が登録されている。
【００４６】
次に、ヘッドセット型ハンズフリー通話装置ＨＳの各部の動作を、図３を参照して説明する。近距離無線通信部３２ｂは、アンテナ３２ａを介して近距離無線通信網ＮＷから受信した近距離無線信号を近距離無線送受信部３３に送信する。また、近距離無線送受信部３３から出力される近距離無線信号をアンテナ３２ａに送信する。ここで、近距離無線通信の方式は、近距離無線通信部１７ｂの説明で述べた通りである。
【００４７】
近距離無線送受信部３３は、移動通信装置ＭＳとの間で制御信号およびデジタル音声・オーディオ信号を送受信するとき、近距離無線通信部３２ｂを制御して近距離無線通信網ＮＷ上の無線リンクを確立させる。
【００４８】
そして、近距離無線送受信部３３は、その無線リンク上でＨＦＰを実行することにより、移動通信装置ＭＳを経由したハンズフリー通話を行う。このとき、近距離無線通信部３２ｂによって受信された近距離無線信号から抽出された制御信号は制御部３１に、また抽出されたデジタル音声信号はコーデック部３４ｃに送信される。更に、制御部３１から出力される制御信号およびコーデック部３４ｃから出力されるデジタル音声信号は近距離無線信号に変換され、無線リンクを介して近距離無線通信部３２ｂに送信させる。
【００４９】
また、近距離無線送受信部３３は、その無線リンク上でＡ２ＤＰを実行することにより、移動通信装置ＭＳから送信された音楽コンテンツやマルチメディアコンテンツのデジタルオーディオ信号を受信することも可能で、近距離無線通信部３２ｂによって受信された近距離無線信号から抽出したデジタルオーディオ信号は、同様にコーデック部３４ｃへ転送される。
【００５０】
コーデック部３４ｃは、近距離無線送受信部３３から受信したデジタル音声信号およびデジタルオーディオ信号を、それぞれアナログ音声信号およびアナログオーディオ信号に変換し、各アナログ信号を増幅してスピーカ３４ａを介して出力する。また、マイクロフォン３４ｂが出力するアナログ音声信号を増幅し、それをデジタル音声信号に変換して近距離無線送受信部３３へ送信する。
【００５１】
通知部３５は、例えばＬＣＤなどから成り、制御部３１より起動されることにより、使用者に操作を促す表示や、使用者が操作した内容の表示や、装置の動作状態の表示などの表示動作を行う。なおここではＬＣＤで例示したが、例えば同様の情報を音信号に変換してコーデック部３４ｃに出力し、スピーカ３４ａによって「ピピッ」という音情報で通知しても良い。
【００５２】
入力部３６は、最後に通話した相手に対する発呼を指示するためのキーと着信応答を指示するためのキーと電源のオンおよびオフを指示するためのキーを備え、利用者が操作した各キーを識別するコード信号を制御部３１へ通知する。
【００５３】
次に、車載型ハンズフリー通話装置ＨＦの各部の動作を、図４を参照して説明する。近距離無線通信部４２ｂ、近距離無線送受信部４３、および入力部４６は、それぞれヘッドセット型ハンズフリー通話装置ＨＳの近距離無線通信部３２ｂ、近距離無線送受信部３３、および入力部３６と同じ動作をするので、動作説明を省略する。
【００５４】
通話部４４ｃは、移動通信網送受信部４３から出力されるデジタル音声信号をアナログ音声信号に変換し、それを増幅してスピーカ４４ａに送る。また、マイクロフォン４４ｂが出力するアナログ音声信号を増幅し、それをデジタル音声信号に変換して移動通信網送受信部４３へ送信する。更に、コンテンツ再生部４７から受信したデジタルオーディオ信号をアナログオーディオ信号に変換してスピーカ４４ａへ送信する。
【００５５】
表示部４５は、例えばＬＣＤであり、制御部４１の制御により、使用者に操作を促す表示や、使用者が操作した内容の表示や、装置の動作状態の表示などの表示を行う。
【００５６】
コンテンツ再生部４７は、入力部４６の所定のキーが操作されて選択された音楽コンテンツやマルチメディアコンテンツを再生する。入力部４６の所定のキー操作が操作されて選択された音楽コンテンツやマルチメディアコンテンツをコンテンツ記憶部４８から読み出し、読み出した音楽コンテンツやマルチメディアコンテンツに含まれるデジタルオーディオ信号を通話部４４ｃへ出力する。
【００５７】
なお、近距離無線送受信部３３によるＨＦＰ、または、Ａ２ＤＰの実行は、コンテンツ再生部４７のコンテンツ再生動作に優先して行われる。即ち、コンテンツ再生部４７の動作中に近距離無線送受信部３３による上記プロファイルが動作を開始した場合、制御部４１によって、コンテンツ再生部４７の動作は中断される。
【００５８】
また、通話部４４ｃは、スピーカ４４ａから出力された音声信号およびオーディオ信号がマイクロフォン４４ｂから入力されることによって発生するハウリングを防止するためのエコーキャンセル機能を備えていてもよい。
【００５９】
上記のように構成された、本発明の実施形態に係るハンズフリー通話システムにおける近距離無線通信の制御動作を説明する。
【００６０】
（デバイスリストを記憶させる処理）
制御部１１は、入力部１６の所定のキー操作によってデバイスリストの更新指示が入力されると、デバイスリストの更新およびデバイスリスト記憶部２５に記憶させる処理を開始する。このとき、車載型ハンズフリー通話装置ＨＦ、または、ヘッドセット型ハンズフリー通話装置ＨＳの電源が投入されており、移動通信装置ＭＳとの間の近距離無線信号の送受信に支障がないものとする。
【００６１】
そして、制御部１１は、近距離無線送受信部１８を制御して近距離無線通信網ＮＷからの近距離無線信号を近距離無線通信部１７ｂに受信させる。この近距離無線信号には、装置（車載型ハンズフリー通話装置ＨＦまたはヘッドセット型ハンズフリー通話装置ＨＳ）のアドレス（デバイスアドレス）と、カーオーディオ・ヘッドセットなどのデバイスクラスが含まれる。次に、そのデバイスアドレスを元に名称を問い合わせると、その装置を識別する情報、例えばフレンドリ名が含まれる。次に、そのデバイスアドレスを元に実行可能なプロファイルを問いあわせることで、ＨＦＰやＡ２ＤＰなどを得る。またこの過程で、Bluetooth（Ｒ）で規定する所定の認証手続きが発生する場合があっても良い。
【００６２】
制御部１１は、受信された近距離無線信号を送信した装置のアドレス、および／または、その装置を識別する情報を表示部１５に表示させるとともに、表示されたアドレスまたは識別する情報によって識別される装置の種別が「車載型」であるか、または、「ヘッドセット型」であるかを入力部１６の所定のキー操作に従って選択されるのを待つ。なお、装置の種別は、得られたデバイスクラスに基づき自動的に識別することで設定されても良い。そして、装置の種別が選択されると、アドレス２５ａに上記アドレスを、装置種別２５ｂに選択された種別を登録する。
【００６３】
更に、受信した近距離無線信号から抽出した実行可能なプロファイルにＨＦＰが含まれていれば「音声通話」をサポート機能２５ｃに登録し、そして、Ａ２ＤＰが含まれていれば「オーディオ転送」をサポート機能２５ｃに登録する。そして、このようにして更登録したデバイスリストをデバイスリスト記憶部２５に記憶させて、処理を終了する。
【００６４】
なおデバイスリストを記憶させる処理の一連の手続きは一例であって、手順は順不同であり、また装置種別２５ｂについて特に入力を求めずに、事前に定められた値を登録しても良い。また、上記に示さない携帯電話の所定のＨＦＰおよびＡ２ＤＰ接続の手続きの中でアドレス２５ａとプロファイル情報を認識した段階でデバイスリストを生成しても構わない。
【００６５】
（着信時の処理）
図６は、着信信号が制御部１１に送られた場合に、制御部１１と近距離無線通信制御機能１１−１によって実行される着信に対する制御処理を示すフローチャートである。
【００６６】
近距離無線通信制御機能１１−１は、着信信号が制御部１１に送られた際に処理を開始し（ステップＳ１１−１ａ）、状況推論機能１１−２に移動通信装置ＭＳが自動車内にあるか否かを判定させる（ステップＳ１１−１ｂ）。
【００６７】
この判定では、状況推論機能１１−２は、環境音分析部１４ｄと特徴量比較部２３に電力が供給されるように制御し、まず環境音分析部１４ｄに対してマイクロフォン１４ｂから入力されたアナログ音声信号に基づいて特徴量の計算を指示し、特徴量が得られると、続いて、特徴量比較部２３に対してこの得られた特徴量を環境音記憶部２４に記憶されている特徴量と比較するように指示する。
【００６８】
そして、この指示があると、特徴量比較部２３は、環境音分析部１４ｄによって計算された特徴量と環境音記憶部２４に記憶されている各特徴量と比較して両者の距離を計算し、計算した距離と所定の閾値とを比較することで上述したように環境音分析部１４ｄによって計算された特徴量が、環境音記憶部２４に記憶されている特徴量のいずれかと一致するか否かを判定する。
【００６９】
そして、特徴量比較部２３の比較結果が一致、不一致のいずれを示すかによって、状況推論機能１１−２は、移動通信装置ＭＳが自動車内にあるか否かを判定する。
【００７０】
ステップＳ１１−１ｂにて、上記比較結果が一致を示すことにより移動通信装置ＭＳが自動車内にあると判定されると、近距離無線通信制御機能１１−１は、近距離無線通信部１７ｂと近距離無線送受信部１８とに電力が供給されるように制御し、その後、車載型ハンズフリー通話装置ＨＦによる近距離無線を利用したハンズフリー通話が可能か否か判断する（ステップＳ１１−１ｃ）。
【００７１】
即ち、デバイスリスト記憶部２５に記憶されているデバイスリストに基づいて、装置種別２５ｂに「車載型」、サポート機能２５ｃに「音声通話」が登録されている装置を抽出し、かつ、その抽出した装置のアドレスをアドレス２５ａから読み出し、このアドレスを用いて、近距離無線送受信部１８が近距離無線通信網ＮＷ上の無線リンクを確立させることができた場合に近距離無線通信制御機能１１−１は、近距離無線通話が可能と判断する。
【００７２】
なお、無線環境は不安定であり、一時的に無線リンクが確立できない場合があるため、無線リンクの確立を近距離無線通話の可否判断の基準とするのではなく、読み出したアドレスを有する装置から近距離無線信号を受信できた場合に近距離無線通信が可能であると判断してもよい。
【００７３】
そして、車載型ハンズフリー通話装置ＨＦによる通話が可能と判断した場合、近距離無線通信制御機能１１−１は、近距離無線送受信部１８を制御して、ＨＦＰを実行し、車載型ハンズフリー通話装置ＨＦに着信信号を受信したことを通知し、この通知に対して入力部４６の操作によって応答指示が入力されると、車載型ハンズフリー通話装置ＨＦによるハンズフリー通話を行わせる（ステップＳ１１−１ｄ）。
【００７４】
一方、ステップＳ１１−１ｃで車載型ハンズフリー通話装置ＨＦによる通話が不可能と判断された場合（デバイスリスト記憶部２５のデバイスリストの中で接続可能な車載型ハンズフリー通話装置ＨＦが存在しない場合を含む）、または、ステップＳ１１−１ｂで移動通信装置ＭＳが自動車内にないと判定された場合、近距離無線通信制御機能１１−１は、ヘッドセット型ハンズフリー通話装置ＨＳによる通話が可能か否かを調べる（ステップＳ１１−１ｅ）。
【００７５】
即ち、近距離無線通信制御機能１１−１は、近距離無線通信部１７ｂと近距離無線送受信部１８への電力供給を継続させるとともに、デバイスリスト記憶部２５のデバイスリストから装置種別２５ｂが「ヘッドセット型」で、サポート機能２５ｃに「音声通話」が存在するか確認し、存在すれば、この「ヘッドセット型」と「音声通話」に対応する近距離無線通信アドレスをアドレス２５ａから読み出し、このアドレスを用いて近距離無線送受信部１８が無線リンクを確立させることができた場合に、近距離無線通信制御機能１１−１は、上記通話が可能と判断する。また、上述したように、読み出したアドレスを有する装置から近距離無線信号を受信できた場合に近距離無線通信が可能であると判断してもよい。
【００７６】
そして、ヘッドセット型ハンズフリー通話装置ＨＳによる通話が可能と判断された場合、近距離無線通信制御機能１１−１は、近距離無線送受信部１８を制御して、ＨＦＰを実行し、ヘッドセット型ハンズフリー通話装置ＨＳに対して着信信号を受信したことを通知し、この通知に対して入力部３６の操作によって応答指示が入力されると、ヘッドセット型ハンズフリー通話装置ＨＳを用いたハンズフリー通話を行わせる（ステップＳ１１−１ｆ）。
【００７７】
ヘッドセット型ハンズフリー通話装置ＨＳによる通話も不可能と判断された場合（デバイスリスト記憶部２５のデバイスリストの中で接続可能なヘッドセット型ハンズフリー通話装置ＨＳが存在しない場合を含む）、近距離無線通信制御機能１１−１はハンズフリー通話ができないことを制御部１１に通知し、近距離無線通信部１７ｂと近距離無線送受信部１８への電力供給を停止させる。そして、ハンズフリー通話ができない旨の通知を受けた制御部１１は、移動通信装置ＭＳの表示部１５などに着信報知を行わせ、着信報知を行っている間に入力部１６が操作されて着信に応答する指示が入力されると通話を行わせる（ステップＳ１１−１ｇ）。
【００７８】
ただし、ステップＳ１１−１ｂで移動通信端末ＭＳが自動車内にあると判断されている場合は、運転中であることが推定されることから、制御部１１は、着信報知は行わず、発信した通信端末に対して通話できない状況にある旨のメッセージを送るか、または留守録機能を起動させて相手のメッセージを残すように制御することが好ましい。
【００７９】
移動通信装置ＭＳが車載型ハンズフリー通話装置ＨＦまたはヘッドセット型ハンズフリー通話装置ＨＳに接続を試み、例えば車載型ハンズフリー通話装置ＨＦまたはヘッドセット型ハンズフリー通話装置ＨＳが他の移動通信装置ＭＳと接続されていた場合や、車載型ハンズフリー通話装置ＨＦまたはヘッドセット型ハンズフリー通話装置ＨＳの電源投入直後で起動過程であって接続準備が出来ていなかった場合などにおいては、接続が失敗する場合がある。
【００８０】
このように接続できない原因が明らかである場合は、近距離無線通信部１７ｂと近距離無線送受信部１８への電力供給を停止させずに、接続を再試行したり、車載型ハンズフリー通話装置ＨＦまたはヘッドセット型ハンズフリー通話装置ＨＳからの接続を待ち受けたりした方が好ましい場合もある。このような場合に備え、移動通信装置ＭＳにおいて、接続が確立しなかった場合には電力供給を停止する他に、電力供給の停止までは行わずに、ハンズフリー通話装置からの接続を待ち受ける旨の設定情報を事前に保持しても構わない。
【００８１】
また、例えば無線通信装置ＭＳ側の設定情報をオールクリアしてしまった場合など、接続先の車載型ハンズフリー通話装置ＨＦまたはヘッドセット型ハンズフリー通話装置ＨＳのデバイスアドレスが予め入手できていないために接続先の車載型ハンズフリー通話装置ＨＦまたはヘッドセット型ハンズフリー通話装置ＨＳを決定出来ないが、車載型ハンズフリー通話装置ＨＦまたはヘッドセット型ハンズフリー通話装置ＨＳにおいては無線通信装置ＭＳのアドレス２５ａを把握しているという状況を鑑み、そもそもＳ１１−１ｃまたはＳ１１−１ｅの段階で、車載型ハンズフリー通話装置ＨＦまたはヘッドセット型ハンズフリー通話装置ＨＳへの接続を行わずに、車載型ハンズフリー通話装置ＨＦまたはヘッドセット型ハンズフリー通話装置ＨＳからの接続を待ち受けるという設定があっても良い。
【００８２】
一方、車載型ハンズフリー通話装置ＨＦまたはヘッドセット型ハンズフリー通話装置ＨＳを用いたハンズフリー通話が開始された後、近距離無線通信制御機能１１−１は、無線リンクの切断が発生したかの監視を行う（ステップＳ１１−１ｈ）。
【００８３】
なお、状況の変化は、ステップＳ１１−１ｂで行われた判定結果の変化を含まない。なぜなら、通話中には、たとえ移動通信装置ＭＳによる通話でないとしても、マイクロフォン１４ｂから通話による音声が入力されるため、この音声とエンジンの動作音が混在する音に基づく特徴量と、環境音記憶部２４に記憶された音声信号の特徴量とを比較して移動通信装置ＭＳが自動車内にあるか否かを判定することは困難が伴うからである。しかし、この判定が可能であれば、状況の変化はステップＳ１１−１ｂで行われた判定結果の変化を含むとして良い。
【００８４】
なお、ステップＳ１１−１ｂで行われた判定結果の変化によらずとも、ステップＳ１１−１ｃの車載型ハンズフリー通話装置ＨＦで通話が可能か否かの判断結果の変化によって、移動通信装置ＭＳが自動車内にあるか否かの変化は検出可能である。
【００８５】
一方、状況の変化があった場合、近距離無線通信制御機能１１−１は、ステップＳ１１−１ｃ、および、ステップＳ１１−１ｅの判断を行い、その結果、通話をステップＳ１１−１ｄの車載型ハンズフリー通話装置ＨＦによるハンズフリー通話、ステップＳ１１−１ｆのヘッドセット型ハンズフリー通話装置ＨＳによるハンズフリー通話、または、ステップＳ１１−１ｇの移動通信装置ＭＳによる通話に切り替えた上で（ステップＳ１１−１ｉ）、ステップＳ１１−１ｈの状況の変化があったか否かを判定する動作へ移る。
【００８６】
例えば具体的には、静止中などに移動通信装置ＭＳにて通話を行っていた場合に各種ハンズフリー通話装置とのリンクが切断された場合には、明らかに切断されたことはユーザが把握出来ており、また以後ハンズフリー通話装置との接続は行わないと考えられるため、近距離無線通信部１７ｂおよび近距離無線送受信部１８への電力供給を停止させることが好ましい。
【００８７】
また、各種ハンズフリー通話装置で通話を行っていた場合にリンクが異常切断された場合には、ユーザの意図しない動作であるため、その後通話が継続し通話料金が発生してしまうことは好ましくないことから、所定時間間隔内にリンクを復旧させることが出来なかった場合には、通話を終了させることが好ましい。
【００８８】
また、移動通信装置ＭＳによる通話に切り替えをする前に各種ハンズフリー通話装置で通話を行っていた場合にリンクが正常切断された場合には、ユーザの、例えばエンジンを正常に停止して車から降りようとした、またヘッドセットを正常終了させバッテリ保持を図ったなどの意図が考えられるため、前記Ｓ１１−１ｃから始まる判断を行うことが好ましい。このとき、正常切断についてもユーザの意図が明確でないという理由のため、異常切断と同様に、通話を終了させても良い。
【００８９】
ステップＳ１１−１ｈの状況の変化があったか否かを判定する動作は、所定時間間隔、例えば、数秒間隔で行えば充分であるが、近距離無線通信網ＮＷ上の確立されたリンクが切断される変化が発生した場合、通話を滑らかに継続させるため、直ちに異なる装置での通話に切り替えることが好ましい。そこで、リンクが切断された場合、近距離無線送受信部１８からの割り込みによってこの判定動作を開始することが適切である。この状況の変化は、例えば、車載型ハンズフリー通話装置ＨＦによるハンズフリー通話中、その装置が設置された自動車のエンジンが停止された際、また、移動通信装置ＭＳがその自動車から離れた際に発生する。
【００９０】
いずれの動作ステップにあるかを問わず、通話が終了された場合、近距離無線通信制御機能１１−１は、制御動作を終了する（図示せず）。なお、ハンズフリー通話が行われていた場合、近距離無線通信部１７ｂおよび近距離無線送受信部１８への電力供給を停止させる。
【００９１】
以上説明した、着信時の近距離無線通信制御機能１１−１の制御動作の中で、ステップＳ１１−１ｂの状況推論機能１１−２に移動通信装置ＭＳが自動車内にあるか否かを判定させる動作は、ステップＳ１１−１ｃの車載型ハンズフリー通話装置ＨＦによる通話が可能か否かを調べる動作と類似した動作であって、省くことが可能である。しかし、状況推論機能１１−２に判定させる動作を行うことによって、移動通信装置ＭＳがエンジンを動作させた自動車外であって、その自動車の近くにある場合、ステップＳ１１−１ｄの車載型ハンズフリー通話装置ＨＦによるハンズフリー通話をさせない効果が得られる。
【００９２】
以上の説明で、車載型ハンズフリー通話装置ＨＦと、ヘッドセット型ハンズフリー通話装置ＨＳとのいずれによってもハンズフリー通話が可能である場合、近距離無線通信制御機能１１−１は、車載型ハンズフリー通話装置ＨＦによるハンズフリー通話を行う制御をするとした。これは、車内での通話は、その通話用に設計された車載型ハンズフリー通話装置ＨＦによることが適切であるためであるが、これに限るものではなく、ヘッドセット型ハンズフリー通話装置ＨＳによるハンズフリー通話を行うとしても良い。これによれば、移動通信装置ＭＳの使用者は、好みにあったヘッドセット型ハンズフリー通話装置ＨＳによる通話が可能である。
【００９３】
また、以上の説明で、ステップＳ１１−１ｃで複数の車載型ハンズフリー通話装置に係るデバイスリストが求められた場合、そのいずれともステップＳ１１−１ｄのハンズフリー通話を試みる。その結果、１台の車載型ハンズフリー通話装置との通話が可能であり、何ら支障はない。なぜなら、移動通信装置ＭＳの使用者が複数の自動車内にいることはないからである。
【００９４】
同様に、ステップＳ１１−１ｅで複数のハンドセット型ハンズフリー通話装置に係るデバイスリストが求められた場合、そのいずれともステップＳ１１−１ｆのハンズフリー通話を試みる。その結果、１台のハンドセット型ハンズフリー通話装置との通話が可能であり、何ら支障はない。なぜなら、移動通信装置ＭＳの使用者は、複数のハンドセット型ハンズフリー通話装置の電源を投入することはないからである。
【００９５】
また、移動通信装置ＭＳは、特徴量比較部２３に加えて、または、代えて、加速度センサを備えた構成とすることも可能である。この場合、加速度センサは、一定周期などの予め定められたタイミングで加速度値を検出し、この加速度値は図示しない加速度値記憶部に記憶される。一方、状況推論機能１１−２は、前記加速度値記憶部に記憶された加速度値の変化から、移動通信装置ＭＳの所持者が静止しているのか、歩行しているのか、さらには自動車または電車での移動中なのかを判断する。
【００９６】
例えば、特徴量比較部２３による自動車内であるか否かの判定結果に加え、状況推論機能１１−２によって自動車または電車内であるか否かの判定結果を利用し、移動通信装置ＭＳが自動車内にあるか否かを判定し、着信の際に、この判定結果に基づいて着信を車載型ハンズフリー通話装置ＨＦまたはヘッドセット型ハンズフリー通話装置ＨＳへ転送すべきか判断しても良い。
【００９７】
この場合、前記加速度値記憶部には、加速度値の変化量と静止中、歩行中、自動車内、そして電車内の各状況を対応付けたデータベースを保持しており、状況推論機能１１−２は、検出された加速度値の変化量から移動通信装置ＭＳの状況を推定する。
【００９８】
なお、加速度センサによって検出された加速度値に基づく判断では、自動車での移動中か電車での移動中かの判定が難しい場合は、図示しないＧＰＳセンサを利用して位置情報を求め、求められた位置と地図データとを比較し、道路上である場合は自動車での移動中、一方、線路上である場合は電車での移動中と判定すれば精度良く状況を判定することが可能となる。
【００９９】
勿論、特徴量比較部２３の判定結果と加速度値に基づく状況推論機能１１−２の判定結果の双方を利用するのではなく、加速度値に基づいた状況推論機能１１−２の判定結果のみで移動通信装置ＭＳが自動車内にあるか否かを判定してもよい。
【０１００】
なお、加速度センサへの電力供給は、特徴量比較部２３への電力供給と同様に、状況推論機能１１−２によって制御される。
【０１０１】
（発信時の動作）
近距離無線通信制御機能１１−１は、移動通信網送受信部１３による通話が行われていない場合、入力部１６の通話開始を示す所定のキー操作に基づいて近距離無線通信の制御動作を行う。この制御動作は、上記の着信信号が制御部１１に送られた場合の制御動作と同じであり、説明を省略する。なお、この制御動作中で、通話は、発呼操作を含む。
【０１０２】
但し、移動通信装置ＭＳでの発信操作は、移動通信装置ＭＳによる通話を望む意図も考えられるため、予め移動通信装置ＭＳの設定によって、本動作を行うまたは行わないとの設定を保持しておき、その設定に基づいた動作としても良い。
【０１０３】
（コンテンツ再生開始時の動作）
近距離無線通信制御機能１１−１は、入力部１６の所定のキー操作に基づいてコンテンツ再生部２１によって音楽コンテンツやマルチメディアコンテンツの再生が開始される場合、近距離無線通信の制御動作を行う。この制御動作は、上記の着信信号が制御部１１に送られた場合の制御動作と同じであり、説明を省略する。
【０１０４】
なお、この制御動作において、ステップＳ１１−１ｃおよびステップＳ１１−１ｅのサポート機能２５ｃに「音声通話」が含まれているか否かの判断は、「オーディオ転送」が含まれているか否かと読み替える。また、ステップＳ１１−１ｄの、ＨＦＰに従った車載型ハンズフリー通話装置ＨＦによるハンズフリー通話は、Ａ２ＤＰに従った車載型ハンズフリー通話装置ＨＦへの音楽コンテンツのデジタルオーディオ信号の転送と読み替える。
【０１０５】
また、ステップＳ１１−１ｆの、ＨＦＰに従った、ヘッドセット型ハンズフリー通話装置ＨＳによるハンズフリー通話は、Ａ２ＤＰに従ったヘッドセット型ハンズフリー通話装置ＨＳへの音楽コンテンツやマルチメディアコンテンツの音声信号やデジタルオーディオ信号の転送と読み替える。更に、ステップＳ１１−１ｇの移動通信装置ＭＳによる通話は、第２のスピーカ２１ａによる音楽コンテンツやマルチメディアコンテンツの音声信号やデジタルオーディオ信号の発生と読み替える。
【０１０６】
以上の説明で、ハンズフリー通話の開始時において、車載型ハンズフリー通話装置ＨＦおよびヘッドセット型ハンズフリー通話装置ＨＳは、近距離無線通信網ＮＷを介して移動通信装置ＭＳと無線リンクを確立した後に、移動通信網および移動通信装置ＭＳを経由して着信情報を受信すると、着信があったことを報知する。そして、自動または手動で車載型ハンズフリー通話装置ＨＦおよびヘッドセット型ハンズフリー通話装置ＨＳはその着信に対して応答するという手続きを取った上で他の通信装置との間でハンズフリー通話を開始するとしても良い。
【０１０７】
以上の説明で、近距離無線通信網ＮＷを介した通信における認証は、移動通信装置ＭＳに備えられたデバイスリスト記憶部２５に記憶されるデバイスリストによるとしたが、これに限るものではない。例えば、デバイスリストを記憶させる処理に示したタイミングで発生するとは限らず、任意のタイミングにおいてBluetooth（Ｒ）で規定する所定の認証手続きが発生する場合があっても良い。またデバイスリストは、車載型ハンズフリー通話装置ＨＦおよび／またはヘッドセット型ハンズフリー通話装置ＨＳにも記憶されるとしても良い。
【０１０８】
また、デバイスリストには、Bluetooth（Ｒ）で規定する鍵情報であるリンクキーが含まれ、Bluetooth（Ｒ）で規定する所定の手続きによって認証手続きを行うことで、無線リンクが確立されるとしても良い。リンクキーは、同一のパスキーを、新たにデバイスリストを記憶させる度に、使用者によって双方の装置の入力部からそれぞれ入力されることによって、生成される。
【０１０９】
以上の説明で、環境音記憶部２４に記憶される環境音は、１台の自動車内の音声（エンジンの動作音を想定している。）の特徴量であるとした。これは、移動通信装置ＭＳの使用者が乗車し、車載型ハンズフリー通話装置ＨＦによるハンズフリー通話を行う自動車は１台であるとしたためであるが、これに限るものではない。
【０１１０】
例えば、アドレス２５ａで識別される車載型ハンズフリー通話装置ＨＦが設置された自動車内の音の特徴量を、そのアドレス２５ａと関連付けてデバイスリストとして記憶させても良い。ここで、そのアドレス２５ａと関連付けられた装置種別２５ｂは、「車載型」である。
【０１１１】
本発明は以上の構成に限定されるものではなく、種々の変形が可能である。
【符号の説明】
【０１１２】
ＭＳ  移動通信装置
ＨＦ  車載型ハンズフリー通話装置
ＨＳ  ヘッドセット型ハンズフリー通話装置
ＮＷ  近距離無線通信網
１１、３１、４１  制御部
１１−１  近距離無線通信制御機能
１１−２  状況推論機能
１４ｄ  環境音分析部
１５、４５  表示部
１６、３６、４６  入力部
１７ｂ、３２ｂ、４２ｂ  近距離無線通信部
１８、３３、４３  近距離無線送受信部
２１、４７  コンテンツ再生部
２２、４８  コンテンツ記憶部
２３  特徴量比較部
２４  環境音記憶部
２５  デバイスリスト記憶部
２５ａ  アドレス
２５ｂ  装置種別
２５ｃ  サポート機能
３５  通知部
【図１】
2010192985.tif 000003
【図２】
2010192985.tif 000004
【図３】
2010192985.tif 000005
【図４】
2010192985.tif 000006
【図５】
2010192985.tif 000007
【図６】
2010192985.tif 000008